(57)【要約】【課題】給湯器を待機状態から運転状態に切換える際の使い勝手を向上させた給湯器用リモコンを提供する。【解決手段】水道管から供給される水を加熱して給湯管に出湯する給湯運転を実行する給湯器を遠隔操作する機能を有して、該給湯器の作動状態を、該給湯運転の実行が可能な運転状態と該給湯運転の実行が不能であって該運転状態よりも消費電力が少ない待機状態とを切換える作動状態切換手段を備えた台所リモコン１及び浴室リモコン２０において、検出部から所定範囲内にある物体を検出する赤外線センサ４，２３を備え、前記作動状態切換手段は、前記給湯器が前記待機状態であるときに赤外線センサ４，２３により物体が検出されたときには、前記給湯器を前記運転状態に切換える。【選択図】  図１
2004332946.tif 000002
【特許請求の範囲】
【請求項１】
水道管から供給される水を加熱して給湯管に出湯する給湯運転を実行する給湯器を遠隔操作する機能を有して、該給湯器の作動状態を、該給湯運転の実行が可能な運転状態と該給湯運転の実行が不能であって該運転状態よりも消費電力が少ない待機状態とを切換える作動状態切換手段を備えた給湯器用リモコンにおいて、
検出部から所定距離内にある物体を検出する近接センサを備え、前記作動状態切換手段は、前記給湯器が前記待機状態であるときに該近接センサにより物体が検出されたときには、前記給湯器を前記運転状態に切換えることを特徴とする給湯器用リモコン。
【請求項２】
前記作動状態切換手段は、前記待機状態において前記近接センサにより物体が第１の所定時間継続して検出されたときに、前記給湯器を前記運転状態に切換えることを特徴とする請求項１記載の給湯器用リモコン。
【請求項３】
前記近接センサによる物体の検出に応じて、前記作動状態切換手段により前記給湯器が前記待機状態から前記運転状態に切換えられた後、前記給湯運転が実行されることなく第２の所定時間が経過したとき又は前記遠隔操作がなされることなく第３の所定時間が経過したときに、前記給湯器を前記待機状態とする待機状態復帰手段を備えたことを請求項１又は請求項２記載の給湯器用リモコン。
【請求項４】
水道管から供給される水を加熱して給湯管に出湯する給湯運転を実行する給湯器を遠隔操作する機能を有して、複数の操作スイッチと、該給湯器の作動状態を、該給湯運転の実行が可能な運転状態と該給湯運転の実行が不能であって該運転状態よりも消費電力が少ない待機状態とに切換える作動状態切換手段とを備えた給湯器用リモコンにおいて、
前記作動状態切換手段は、前記給湯器が前記待機状態であるときに前記複数の操作スイッチのうちの何れかが操作されたときには、前記給湯器を前記運転状態に切換えることを特徴とする給湯器用リモコン。
【請求項５】
前記複数の操作スイッチのうちのいくつかを隠す開閉扉と、該開閉扉により隠される操作スイッチであって前記給湯器を前記運転状態と前記待機状態とに切換えることを指示する運転スイッチとを備え、
前記作動状態切換手段は、前記複数の操作スイッチのうち、前記開閉扉により隠されずに露出して備えられた操作スイッチのうちのいずれかが操作されたときに、前記給湯器を前記運転状態に切換えることを特徴とする請求項４記載の給湯器用リモコン。
【請求項６】
前記作動状態切換手段は、前記待機状態において前記複数の操作スイッチのうちの何れかが第１の所定時間継続して操作されたときに、前記給湯器を前記運転状態に切換えることを特徴とする請求項４又は請求項５記載の給湯器用リモコン。
【請求項７】
前記複数の操作スイッチのうちの何れかの操作に応じて、前記作動状態切換手段により前記給湯器が前記待機状態から前記運転状態に切換えられた後、前記給湯運転が実行されることなく第２の所定時間が経過したとき又は遠隔操作がなされることなく第３の所定時間が経過したときに、前記給湯器を前記待機状態とする待機状態復帰手段を備えたことを特徴とする請求項４から請求項６のうちいずれか１項記載の給湯器用リモコン。
【発明の詳細な説明】
【０００１】
【発明の属する技術分野】
本発明は、給湯器を遠隔操作するためのリモコンに関する。
【０００２】
【従来の技術】
一般に、給湯器は屋外に設置されるため、給湯器を遠隔操作するためのリモコンが屋内の浴室や台所等に設置される。そして、該リモコンには、給湯器の作動状態を、水道管から供給される水を加熱して出湯する給湯運転の実行が可能な運転状態と、該給湯運転の実行が不能であって消費電力が該運転状態よりも少ない待機状態とに切換える運転スイッチが備えられている（例えば、特許文献１参照）。
【０００３】
ここで、給湯器により給湯運転を実行させて湯を使用するためには、使用者は、運転スイッチを操作して給湯器を運転状態にする必要があるが、湯を使用しないときには、給湯器を待機状態として無駄な電力消費を抑制することが望ましい。
【０００４】
そして、待機状態とした給湯器を運転状態に切換えるためには、使用者は運転スイッチを操作する必要があるが、例えば土いじり等をして手が汚れた場合に、湯を使おうとしたときには、汚れた手で運転スイッチを操作することになり、運転スイッチが汚れてしまう。この場合、使用者は汚れた運転スイッチを清掃しなければならず、使い勝手が悪いという不都合がある。
【０００５】
【特許文献１】
特開２００２−１７１５８３号公報（第４−５頁）
【０００６】
【発明が解決しようとする課題】
本発明は上記不都合を解消し、給湯器を待機状態から運転状態に切換える際の使い勝手を向上させた給湯器用リモコンを提供することを目的とする。
【０００７】
【課題を解決するための手段】
本発明は上記目的を達成するためになされたものであり、水道管から供給される水を加熱して給湯管に出湯する給湯運転を実行する給湯器を遠隔操作する機能を有して、該給湯器の作動状態を、該給湯運転の実行が可能な運転状態と該給湯運転の実行が不能であって該運転状態よりも消費電力が少ない待機状態とを切換える作動状態切換手段を備えた給湯器用リモコンの改良に関する。
【０００８】
そして、本発明の第１の態様は、検出部から所定距離内にある物体を検出する近接センサを備え、前記作動状態切換手段は、前記給湯器が前記待機状態であるときに該近接センサにより物体が検出されたときには、前記給湯器を前記運転状態に切換えることを特徴とする。
【０００９】
かかる本発明によれば、前記給湯器の使用者は、手や腕を前記近接センサに接近させることにより、給湯器用リモコンに触れることなく前記給湯器を前記待機状態から運転状態に切換えることができる。そのため、使用者の手が汚れていた場合であっても、給湯器用リモコンを汚さずに前記給湯器を運転状態として湯を使うことができ、使用者の使い勝手が良い。
【００１０】
また、前記第１の態様において、前記作動状態切換手段は、前記待機状態において前記近接センサにより物体が第１の所定時間継続して検出されたときに、前記給湯器を前記運転状態に切換えることを特徴とする。
【００１１】
かかる本発明によれば、例えば、使用者がリモコンの前を横切った場合のように、前記近接センサにより瞬間的に前記第１の所定時間よりも短い間、物体（この場合は使用者）が検出されたときには前記給湯器は前記待機状態に維持される。そのため、使用者の意に反して前記給湯器が前記待機状態から運転状態に切換わり、前記給湯器において無駄な電力が消費されることを抑制することができる。
【００１２】
また、前記第１の態様において、前記近接センサによる物体の検出に応じて、前記作動状態切換手段により前記給湯器が前記待機状態から前記運転状態に切換えられた後、前記給湯運転が実行されることなく第２の所定時間が経過したとき又は前記遠隔操作がなされることなく第３の所定時間が経過したときに、前記給湯器を前記待機状態とする待機状態復帰手段を備えたことを特徴とする。
【００１３】
かかる本発明によれば、前記待機状態から前記運転状態に切換えられた後、前記給湯運転が実行されることなく前記第２の所定時間が経過したとき、又は前記遠隔操作がなされることなく前記第３の所定時間が経過したときは、使用者が誤って前記近接センサに接近したと想定することができる。そのため、この場合は前記待機状態復帰手段により前記給湯器を前記待機状態に切換えることによって、前記給湯器における電力消費を抑制することができる。
【００１４】
また、本発明の第２の態様は、複数の操作スイッチを備えて、前記作動状態切換手段は、前記給湯器が前記待機状態であるときに前記複数の操作スイッチのうちの何れかが操作されたときには、前記給湯器を前記運転状態に切換えることを特徴とする。
【００１５】
かかる本発明によれば、使用者は、特定の操作スイッチではなく、前記複数の操作スイッチのうちの何れかを操作することにより、前記給湯器を前記待機状態から前記運転状態に切換えることができる。そのため、手が汚れていた場合には、使用者は肘や肩で前記複数の操作スイッチのうち操作が容易なものを操作すればよく、この場合は給湯器用リモコンが汚れないため使用者の使い勝手が良い。
【００１６】
また、前記第２の態様において、前記複数の操作スイッチのうちのいくつかを隠す開閉扉と、該開閉扉により隠される操作スイッチであって前記給湯器を前記運転状態と前記待機状態とに切換えることを指示する運転スイッチとを備え、前記作動状態切換手段は、前記複数の操作スイッチのうち、前記開閉扉により隠されずに露出して備えられた操作スイッチのうちのいずれかが操作されたときに、前記給湯器を前記運転状態に切換えることを特徴とする。
【００１７】
かかる本発明によれば、使用者は、手が汚れていて前記開閉扉を開けて前記運転スイッチを操作することに対して抵抗があるときは、肘や肩を使って、露出した操作スイッチのいずれかを操作することにより、前記給湯器を前記運転状態に切換えることができる。そして、この場合は給湯器用リモコンが汚れないため使用者の使い勝手が良い。
【００１８】
また、前記第２の態様において、前記作動状態切換手段は、前記待機状態において前記複数の操作スイッチのうちのいずれかが第１の所定時間継続して操作されたときに、前記給湯器を前記運転状態に切換えることを特徴とする。
【００１９】
かかる本発明によれば、例えば、使用者が部屋の清掃を行う際に誤って前記複数の操作スイッチのうちの何れかに触れたときのように、前記複数の操作スイッチのうちの何れかが瞬間的の操作状態となったときには、前記給湯器は前記待機状態に維持される。そのため、使用者の意に反して前記給湯器が前記待機状態から前記運転状態に切換わり、前記給湯器において無駄な電力が消費されることを抑制することができる。
【００２０】
また、前記第２の態様において、前記複数の操作スイッチのうちのいずれかの操作に応じて、前記作動状態切換手段により前記給湯器が前記待機状態から前記運転状態に切換えられた後、前記給湯運転が実行されることなく第２の所定時間が経過したとき又は遠隔操作がなされることなく第３の所定時間が経過したときに、前記給湯器を前記待機状態とする待機状態復帰手段を備えたことを特徴とする。
【００２１】
かかる本発明によれば、前記待機状態から前記運転状態に切換えられた後、前記給湯運転が実行されることなく前記第２の所定時間が経過したとき、又は前記遠隔操作がなされることなく前記第３の所定時間が経過したときは、使用者が誤って前記操作スイッチに触れたと想定することができる。そのため、この場合は前記待機状態復帰手段により前記給湯器を前記待機状態に切換えることによって、前記給湯器における電力消費を抑制することができる。
【００２２】
【発明の実施の形態】
本発明の実施の形態について、図１〜図５を参照して説明する。図１は給湯器用リモコンの外観図、図２は図１に示した給湯器用リモコンの回路構成図、図３及び図４は第１の実施の形態における給湯器用リモコンの作動フローチャート、図５は第２の実施の形態における給湯器用リモコンの作動フローチャートである。
【００２３】
先ず、図１〜図４を参照して、第１の実施の形態について説明する。図１（ａ）は、台所の壁面に設置されて、屋外に設置された給湯器（図示しない）を遠隔操作する台所リモコン１（本発明の給湯器用リモコンに相当する）の外観図である。台所リモコン１には、各種の操作スイッチを有するスイッチ部２と、給湯温度や給湯器の作動状態等が表示される表示部３と、検出部（図示しない発光部と受光部）から所定距離内に接近した物体を検出する反射型の赤外線センサ４とが備えられている。
【００２４】
ここで、給湯器は、水道管（図示しない）から供給される水を加熱して給湯管（図示しない）に出湯する給湯運転を実行し、また、浴槽（図示しない）内に所定温度の湯を所定量供給する自動湯張り運転と、浴槽内の湯を加熱する追焚き運転を実行する機能を有している。
【００２５】
そして、スイッチ部２には、給湯器に対して給湯運転が実行可能な運転状態と給湯運転の実行が不能であって消費電力が運転状態よりも少ない待機状態との切換えを指示する運転スイッチ５と、自動湯張り運転の実行開始を指示する自動スイッチ６と、給湯設定温度のＵＰ／ＤＯＷＮを指示する給湯温度ＵＰスイッチ７及び給湯温度ＤＯＷＮスイッチ８とが、露出して設けられている。
【００２６】
さらに、スイッチ部２には、時計時刻の設定や自動湯張り運転の予約等を行うためのスイッチ（図示しない）を隠す開閉扉９が設けられ、通常は、開閉扉９を閉じて比較的使用頻度が低いスイッチを隠すことにより、スイッチ部２の操作性の向上が図られている。
【００２７】
また、図１（ｂ）は、浴室の壁面に設置されて、給湯器を遠隔操作する浴室リモコン２０（本発明の給湯器用リモコンに相当する）の外観図である。浴室リモコン２０には、各種の操作スイッチを有するスイッチ部２１と、給湯温度や給湯器の作動状態等が表示される表示部２２と、検出部（図示しない発光部と受光部）から所定距離内に接近した物体を検出する反射型の赤外線センサ２３（本発明の近接センサに相当する）とが備えられている。
【００２８】
そして、スイッチ部２１には、台所リモコン１に備えられたブザー（図示しない）の鳴動を指示する呼出しスイッチ２４と、台所リモコン１による給湯温度の変更禁止を指示する優先スイッチ２５と、追焚き運転の実行を指示する追焚きスイッチ２６と、自動湯張り運転の実行を指示する自動スイッチ２７とが、露出して設けられている。
【００２９】
さらに、スイッチ部２１には、給湯器に対して運転状態と待機状態との切換えを指示する運転スイッチ２８と、給湯温度のＵＰ／ＤＯＷＭを指示する給湯温度スイッチ（図示しない）等を隠す開閉扉２９とが備えられている。
【００３０】
そして、図２に示したように、台所リモコン１及び浴室リモコン２０は、マイクロコンピュータ４０（以下、マイコン４０という）、スイッチ部２（台所リモコン）又はスイッチ部２１（浴室リモコン）における各スイッチからの出力信号を受信して各スイッチの操作状態を検知する入力回路４１、表示部３（台所リモコン）又は表示部２２（浴室リモコン）に駆動信号を出力する表示駆動回路４２、給湯器に備えられた給湯器コントローラ５０及び他のリモコンと間で通信を行うための通信回路４３とを備えている。
【００３１】
次に、マイコン４０に備えられた作動状態切換手段４５と待機状態復帰手段４６の作動について、台所リモコン１を例として説明する。なお、浴室リモコン２０のマイコン４０に備えられた作動状態切換手段４５と待機状態復帰手段４６も同様にして作動する。
【００３２】
作動状態切換手段４５は、台所リモコン１に備えられた運転スイッチ５の操作に応じて、給湯器の作動状態を運転状態又は待機状態に切換えることを指示する信号を給湯器コントローラ５０に対して送信するが、赤外線センサ４がＯＮしたとき（赤外線センサ４により物体が検出されたとき）にも、給湯器の作動状態を運転状態に切換えることを指示する「運転状態切換指示信号」を給湯器コントローラ５０に対して送信する。
【００３３】
図３を参照して、作動状態切換手段４５は、ＳＴＥＰ１で給湯器が待機状態にあるときはＳＴＥＰ２に進んで、赤外線センサ４がＯＮしているか否かを確認する。そして、赤外線センサ４がＯＮしているときには、ＳＴＥＰ３に進んで第１所定時間（本発明の第１の所定時間に相当する）を設定時間とする第１タイマをスタートする。
【００３４】
続くＳＴＥＰ４及びＳＴＥＰ４から分岐したＳＴＥＰ１０からなるループで、作動状態切換手段４５は、赤外線センサ４がＯＮ状態にあることを確認しながら第１タイマのタイムアップを待つ。そして、第１タイマがタイムアップしたとき、すなわち、赤外線センサ４が第１所定時間継続してＯＮ状態となったときに、ＳＴＥＰ５に進んで、作動状態切換手段４５は、給湯器に対して「運転状態切換指示信号」を送信する。そして、この「運転状態切換指示信号」を受信した給湯器は、作動状態を待機状態から運転状態に切換えて給湯運転が実行可能な状態とする。
【００３５】
このように、赤外線センサ４を設けて、赤外線センサ４が第１所定時間継続してＯＮ状態となったときに、給湯器を待機状態から運転状態に切換える仕様とすることにより、使用者は、手を赤外線センサ４に近づけてＯＮさせることで、台所リモコン１に触れることなく給湯器を運転状態に切換えることができる。
【００３６】
そのため、例えば、汚れた手を洗うために湯を使用するときに、使用者は、台所リモコン１を汚さずに給湯器を待機状態から運転状態に切換えることができ、使い勝手が良い。
【００３７】
なお、ＳＴＥＰ４で第１タイマがタイムアップする前に、ＳＴＥＰ１０で赤外線センサ４がＯＦＦしたとき、すなわち、赤外線センサ４が第１所定時間継続してＯＮしなかったときは、ＳＴＥＰ１０からＳＴＥＰ１に進み、作動状態切換手段４５は、「運転状態切換指示信号」を送信しない。そして、これにより、例えば使用者が台所リモコン１の前を通って、瞬間的に第１所定時間よりも短い間、赤外線センサ４がＯＮした場合に、使用者の意に反して給湯器が運転状態に切換わってしまうことを防止している。
【００３８】
また、図４は待機状態復帰手段４６の作動フローチャートであり、待機状態復帰手段４６は、上述した図３の処理により給湯器が運転状態に切換わったときに、ＳＴＥＰ２０からＳＴＥＰ２１に進んで第２所定時間（本発明の第２の所定時間及び第３の所定時間に相当する）を設定時間とする第２タイマをスタートさせる。
【００３９】
そして、続くＳＴＥＰ２２及びＳＴＥＰ２２から分岐したＳＴＥＰ３０からなるループで、待機状態復帰手段４６は、ＳＴＥＰ３０で給湯運転の開始とスイッチ操作の有無を確認しながら、ＳＴＥＰ２２で第２タイマがタイムアップするのを待つ。第２タイマがタイムアップしたとき、すなわち、給湯運転が開始されずかつ操作スイッチが操作されない状態が第２所定時間以上継続したときに、待機状態復帰手段４６は、ＳＴＥＰ２３に進んで給湯器に対して運転状態から待機状態への切換えを指示する「待機状態切換指示信号」を送信する。そして、この「待機状態切換指示信号」を受信した給湯器は、作動状態を運転状態から待機状態に切換えて消費電力を減少させる。
【００４０】
これにより、使用者がたまたま台所リモコン１に近づいて赤外線センサ４がＯＮし、給湯器が運転状態となったときに、使用者の意に反して給湯器が運転状態を維持して無駄な電力が消費されることを防止することができる。
【００４１】
次に、本発明の第２の実施の形態について説明する。図１（ａ）及び図１（ｂ）を参照して、第２の実施の形態における台所リモコン１及び浴室リモコン２０は、それぞれ、赤外線センサ１（台所リモコン），２３（浴室リモコン）を備えていない。なお、その他の構成は前記第１の実施の形態と同様である。
【００４２】
そして、台所リモコン１のマイコン４０に備えられた作動状態切換手段４５（図２参照）は、図５に示したフローチャートに従って、給湯器の作動状態を待機状態から運転状態に切換える。
【００４３】
台所リモコン１に備えられた作動状態切換手段４５は、ＳＴＥＰ４０で給湯器が待機状態にあるときに、ＳＴＥＰ４１で、露出して設けられた運転スイッチ５、自動スイッチ６、給湯温度ＤＯＷＮスイッチ８、及び給湯温度ＵＰスイッチ７のうちのいずれかが押されてＯＮとなったときには、ＳＴＥＰ４１からＳＴＥＰ４２に進んで、第１所定時間（本発明の第１の所定時間に相当する）を設定時間とする第１タイマをスタートする。
【００４４】
続くＳＴＥＰ４３及びＳＴＥＰ４３から分岐したＳＴＥＰ５０からループで、作動状態切換手段４５は、ＳＴＥＰ５０で運転スイッチ５、自動スイッチ６、給湯温度ＤＯＷＮスイッチ８、及び給湯温度ＵＰスイッチ７のうちのいずれかがＯＮ状態にあることを確認しながら、ＳＴＥＰ４３で第１タイマがタイムアップするのを待つ。
【００４５】
そして、第１タイマがタイムアップしたとき、すなわち、運転スイッチ５、自動スイッチ６、給湯温度ＤＯＷＮスイッチ８、及び給湯温度ＵＰスイッチ７のうちのいずれか第１所定時間継続してＯＮ状態となったときに、ＳＴＥＰ４４に進んで、作動状態切換手段４５は、給湯器に対して「運転状態切換指示信号」を送信する。そして、この「運転状態切換指示信号」を受信した給湯器は、作動状態を待機状態から運転状態に切換えて給湯運転が実行可能な状態とする。
【００４６】
このように、運転スイッチ５、自動スイッチ６、給湯温度ＤＯＷＮスイッチ８、及び給湯温度ＵＰスイッチ７のうちのいずれか第１所定時間継続してＯＮ状態となったときに、給湯器を待機状態から運転状態に切換える仕様とすることにより、使用者は、手が汚れているときには、露出して設けられたスイッチのうちの操作が容易なものを肘や肩で押すことによって、台所リモコン１を汚さずに給湯器を待機状態から運転状態に切換えることができる。そのため、使用者が使い勝手が良い。
【００４７】
なお、ＳＴＥＰ４３で第２タイマがタイムアップする前に、ＳＴＥＰ５０で運転スイッチ５、自動スイッチ６、給湯温度ＤＯＷＮスイッチ８、及び給湯温度ＵＰスイッチ７のうちのいずれかがＯＮした状態とならなくなったとき、すなわち、運転スイッチ５、自動スイッチ６、給湯温度ＤＯＷＮスイッチ８、及び給湯温度ＵＰスイッチ７のうちのいずれかが第１所定時間継続してＯＮしなかったときは、ＳＴＥＰ５０からＳＴＥＰ４０に進み、作動状態切換手段４５は「運転状態切換指示信号」を送信しない。
【００４８】
そして、これにより清掃の際に、使用者が誤って第１所定時間よりも短い間、露出した運転スイッチ５、自動スイッチ６、給湯温度ＤＯＷＮスイッチ８、及び給湯温度ＵＰスイッチ７のうちのいずれかに触ったときに、使用者の意に反して給湯器が運転状態に切換わってしまうことを防止している。
【００４９】
なお、浴室リモコン２０（図１（ｂ）参照）のマイコン４０に備えられた作動状態切換手段４５も、図５のフローチャートに従って給湯器の作動状態を待機状態から運転状態に切換えるが、図５のＳＴＥＰ４１及びＳＴＥＰ５０において、露出して設けられた呼出しスイッチ２４、優先スイッチ２５、追焚きスイッチ２６、及び自動スイッチ２７のうちのいずれかがＯＮしたときに、ＹＥＳ分岐する。
【００５０】
そして、浴室リモコン２０においては、通常は運転スイッチ２８が開閉扉２９で隠されているため、露出して設けられていて操作が容易な呼出しスイッチ２４、優先スイッチ２５、追焚きスイッチ２６、及び自動スイッチ２７のうちのいずれかの操作により、給湯器を運転状態に切換える仕様とすることが特に有効である。
【００５１】
また、第２の実施の形態においても、前記第１の実施の形態と同様に、台所リモコン１と浴室リモコン２０のマイコン４０に備えられた待機状態復帰手段４６（図２参照）は、図４に示したフローチャートに従って、給湯器を運転状態から待機状態に切換える処理を実行する。
【００５２】
なお、前記第１の実施の形態では、作動状態切換手段４５によって、図３に示したフローチャートのＳＴＥＰ３，ＳＴＥＰ４，及びＳＴＥＰ１０により、赤外線センサが第１所定時間継続してＯＮ状態となったときに、給湯器を待機状態から運転状態に切換えたが、赤外線センサがＯＮしたときに直ちに給湯器を待機状態から運転状態に切換える場合にも本発明の効果を得ることができる。
【００５３】
また、前記第２の実施の形態では、作動状態切換手段４５によって、図５に示したフローチャートのＳＴＥＰ４２，ＳＴＥＰ４３，及びＳＴＥＰ５０により、露出して設けられたスイッチのうちのいずれかが第１所定時間継続してＯＮ状態となったときに、給湯器を待機状態から運転状態に切換えるようにしたが、露出して設けられたスイッチのいずれかがＯＮ状態となったときに、直ちに給湯器を待機状態から運転状態に切換える場合にも本発明の効果を得ることができる。
【００５４】
また、前記第１の実施の形態及び前記第２の実施の形態においては、待機状態復帰手段４６によって、図４のフローチャートにより、給湯器を運転状態から待機状態に切換える処理を行ったが、かかる処理を行わない場合にも本発明の効果を得ることができる。
【００５５】
また、前記第１の実施の形態においては、本発明の近接スイッチとして赤外線による反射型センサを用いたが、電波や超音波による反射型センサを用いてもよい。
【図面の簡単な説明】
【図１】給湯器用リモコンの外観図。
【図２】給湯器用リモコンの回路構成図。
【図３】第１の実施の形態における給湯器用リモコンの作動フローチャート。
【図４】第１の実施の形態における給湯器用リモコンの作動フローチャート。
【図５】第２の実施の形態における給湯器用リモコンの作動フローチャート。
【符号の説明】
１…台所リモコン、２…スイッチ部、３…表示部、４…赤外線センサ、５…運転スイッチ、９…開閉扉、２０…浴室リモコン、２１…スイッチ部、２２…表示部、２３…赤外線センサ、２８…運転スイッチ、２９…開閉扉、４５…作動状態切換手段、４６…待機状態復帰手段
【図１】
2004332946.tif 000003
【図２】
2004332946.tif 000004
【図３】
2004332946.tif 000005
【図４】
2004332946.tif 000006
【図５】
2004332946.tif 000007